(57)【要約】  通信可能に接続された複数の表示装置を有する表示システムを構成する前記表示装置は、映像を表示する表示部と、ユーザによる操作を受け付ける操作入力部と、前記操作に対応する制御情報を実行する表示装置を指定する対象識別情報が自らの表示装置に対応付けられた識別情報と同じである場合、前記制御情報に基づいて処理を実行する制御部と、前記対象識別情報が自らの表示装置に対応付けられた識別情報と異なる場合、接続された他の表示装置へ前記制御情報と前記対象識別情報とを出力する通信出力部とを備える。
2018042514.tif 000002
【特許請求の範囲】
【請求項１】
通信可能に接続された複数の表示装置を有する表示システムを構成する前記表示装置であって、
映像を表示する表示部と、
ユーザによる操作を受け付ける操作入力部と、
前記操作に対応する制御情報を実行する表示装置を指定する対象識別情報が自らの表示装置に対応付けられた識別情報と同じである場合、前記制御情報に基づいて処理を実行する制御部と、
前記対象識別情報が自らの表示装置に対応付けられた識別情報と異なる場合、接続された他の表示装置へ前記制御情報と前記対象識別情報とを出力する通信出力部と、
を備える表示装置。
【請求項２】
前記表示装置は、複数の動作モードを有し、
前記動作モードが、前記対象識別情報が自らの表示装置に対応付けられた識別情報と同じである第１のモードである場合、前記制御部は、前記制御情報に基づいて処理を実行し、
前記動作モードが、前記対象識別情報が自らの表示装置に対応付けられた識別情報と異なる第２のモードである場合、前記制御部は、前記制御情報と前記対象識別情報とを前記通信出力部を介して出力する
請求項１に記載の表示装置。
【請求項３】
前記表示装置は、接続された他の表示装置から前記制御情報と前記対象識別情報とが入力される通信入力部をさらに備え、
前記通信入力部から入力された対象識別情報が自らの表示装置に対応付けられた識別情報と同じである場合には、前記制御部は、前記制御情報に基づいて処理を実行する
請求項１または請求項２のいずれか１項に記載の表示装置。
【請求項４】
前記制御部は、表示システムを構成する複数の表示装置を、ＯＳＤを用いて前記表示部に表示して前記複数の表示装置の配置状態を示し、表示された表示装置の内、所定の１つの表示装置を選択することにより前記対象識別情報を設定する
請求項１乃至請求項３のいずれか１項に記載の表示装置。
【請求項５】
前記操作入力部はリモートコントローラの受光部を含み、リモートコントローラの操作に基づく前記操作を受け付ける
請求項２に記載の表示装置。
【請求項６】
通信可能に接続された複数の表示装置を有する表示システムを構成する前記表示装置のコンピュータによる表示設定方法であって、
表示部が、映像を表示する表示ステップと、
操作入力部が、ユーザによる操作を受け付ける操作入力ステップと、
制御部が、前記操作に対応する制御情報を実行する表示装置を指定する対象識別情報が自らの表示装置に対応付けられた識別情報と同じである場合、前記制御情報に基づいて処理を実行する制御ステップと、
通信出力部が、前記対象識別情報が自らの表示装置に対応付けられた識別情報と異なる場合、接続された他の表示装置へ前記制御情報と前記対象識別情報とを出力する通信出力ステップと、
を有する表示装置の表示設定方法。
【請求項７】
通信可能に接続された複数の表示装置を有する表示システムを構成する前記表示装置のコンピュータに、
映像を表示する表示ステップと、
ユーザによる操作を受け付ける操作入力ステップと、
前記操作に対応する制御情報を実行する表示装置を指定する対象識別情報が自らの表示装置に対応付けられた識別情報と同じである場合、前記制御情報に基づいて処理を実行する制御ステップと、
前記対象識別情報が自らの表示装置に対応付けられた識別情報と異なる場合、接続された他の表示装置へ前記制御情報と前記対象識別情報とを出力する通信出力ステップと、
を実行させるための表示装置の表示設定プログラム。
【発明の詳細な説明】
【技術分野】
【０００１】
本発明は、表示装置、表示装置の表示設定方法、及び表示装置の表示設定プログラムに関する。
【背景技術】
【０００２】
ベゼル幅が狭いタイプのモニターのように、操作キー等の操作入力部を前面に配置することが困難なモニターにおいては、例えば、モニターの背面等に操作入力部が配置されることがある。そのような、モニターの背面等に操作入力部が配置されたモニターを並べてマルチディスプレイが構築される場合において、壁面の近くにモニターが設置されると、モニターの配置によりユーザが操作入力部によって操作できないモニターが発生することがある。例えば、モニターの背面の下部に操作入力部が配置されている場合には、マルチディスプレイの最下段に配置されたモニターについては、ユーザがモニターの下から操作入力部へ手を伸ばして操作をすることができる。しかしながら、マルチディスプレイの最下段に配置されたモニター以外のモニターについては、ユーザの手が操作入力部まで届かないため操作をすることができない。【０００３】
特許文献１に記載の表示システムは、複数のモニターが通信ケーブルによって直列に接続され、最上流の表示装置が下流側の表示装置に設定されているデータを当該下流側の表示装置から受信した後、リモコンによる操作に応じてデータを更新し、当該データを下流側の表示装置へ送信する。すなわち、下流側の表示装置において設定されるデータの変更を、最上流の表示装置が行う。
【先行技術文献】
【特許文献】
【０００４】
【特許文献１】特開２０１１−２４７９１７号公報
【発明の概要】
【発明が解決しようとする課題】
【０００５】
しかしながら、特許文献１に記載の表示システムは、設定の変更を行うごとに、最上流の表示装置が下流側の表示装置へ確認を行う（すなわち、下流側の表示装置において設定されているデータを当該下流側の表示装置から取得する）必要があるため、処理が煩雑になる。【０００６】
上述の課題を鑑み、本発明は、下流側の表示装置の設定変更をより容易な処理で行うことができる表示装置、表示装置の表示設定方法、及び表示装置の表示設定プログラムを提供することを目的とする。
【課題を解決するための手段】
【０００７】
上述の課題を解決するために、本発明の一態様に係る表示装置は、通信可能に接続された複数の表示装置を有する表示システムを構成する前記表示装置であって、映像を表示する表示部と、ユーザによる操作を受け付ける操作入力部と、前記操作に対応する制御情報を実行する表示装置を指定する対象識別情報が自らの表示装置に対応付けられた識別情報と同じである場合、前記制御情報に基づいて処理を実行する制御部と、前記対象識別情報が自らの表示装置に対応付けられた識別情報と異なる場合、接続された他の表示装置へ前記制御情報と前記対象識別情報とを出力する通信出力部と、を備える。【０００８】
また、本発明の一態様に係るコンピュータによる表示装置の表示設定方法は、通信可能に接続された複数の表示装置を有する表示システムを構成する前記表示装置のコンピュータによる表示設定方法であって、表示部が、映像を表示する表示ステップと、操作入力部が、ユーザによる操作を受け付ける操作入力ステップと、制御部が、前記操作に対応する制御情報を実行する表示装置を指定する対象識別情報が自らの表示装置に対応付けられた識別情報と同じである場合、前記制御情報に基づいて処理を実行する制御ステップと、通信出力部が、前記対象識別情報が自らの表示装置に対応付けられた識別情報と異なる場合、接続された他の表示装置へ前記制御情報と前記対象識別情報とを出力する通信出力ステップとを有する。【０００９】
また、本発明の一態様に係る表示装置の表示設定プログラムは、通信可能に接続された複数の表示装置を有する表示システムを構成する前記表示装置のコンピュータに、映像を表示する表示ステップと、ユーザによる操作を受け付ける操作入力ステップと、前記操作に対応する制御情報を実行する表示装置を指定する対象識別情報が自らの表示装置に対応付けられた識別情報と同じである場合、前記制御情報に基づいて処理を実行する制御ステップと、前記対象識別情報が自らの表示装置に対応付けられた識別情報と異なる場合、接続された他の表示装置へ前記制御情報と前記対象識別情報とを出力する通信出力ステップとを実行させる。
【発明の効果】
【００１０】
本発明によれば、下流側の表示装置の設定変更をより容易な処理で行うことができる。
【図面の簡単な説明】
【００１１】
【図１】本発明の第１の実施形態に係る表示システム１の概要を示す概略図である。
【図２】本発明の第１の実施形態に係る表示システム１における表示装置１０の背面の状態を示す概略図である。
【図３】本発明の第１の実施形態に係る表示システム１における表示装置１０の識別情報の設定を示す概略図である。
【図４】本発明の第１の実施形態に係る表示システム１における操作対象とする表示装置１０の設定を示す概略図である。
【図５】本発明の第１の実施形態に係る表示システム１における表示装置１０の機能構成を示すブロック図である。
【図６】本発明の第１の実施形態に係る表示システム１の表示装置１０の動作の一例を示すフローチャートである。
【図７】本発明の第１の実施形態に係る表示システム１の表示装置１０の動作の一例を示すフローチャートである。
【図８】本発明の第２の実施形態に係る表示システム２の概要を示す概略図である。
【図９】本発明の第３の実施形態に係る表示システム３の概要を示す概略図である。
【図１０】本発明の第１乃至第３の実施形態に係る表示システムの表示装置１０の基本構成を示すブロック図である。
【発明を実施するための形態】
【００１２】
以下、本発明の実施の形態について図面を参照しながら説明する。
＜第１の実施形態＞
図１は、本発明の第１の実施形態に係る表示システム１の概要を示す概略図である。図１に示すように、本発明の第１の実施形態に係る表示システム１は、複数の表示装置１０（１０ａ、１０ｂ、１０ｃ、および１０ｄ）と、複数の映像信号発生装置２０（２０ａ、および２０ｂ）と、通信線３０とから構成される。なお、以下の説明において、表示装置１０ａ、表示装置１０ｂ、表示装置１０ｃ、および表示装置１０ｄを特定しない場合は、単に表示装置１０といい、映像信号発生装置２０ａ、および映像信号発生装置２０ｂを特定しない場合は、単に映像信号発生装置２０という。
【００１３】
図示するように、表示装置１０ａの上方には表示装置１０ｂが並べて配置され、表示装置１０ａの隣には表示装置１０ｃが並べて配置され、表示装置１０ｂの隣には表示装置１０ｄが並べて配置されることによって４つの表示装置１０からなるマルチディスプレイが構築されている。当該マルチディスプレイは通信線３０を介して映像信号発生装置２０から送信された映像信号を受信し、当該映像信号に基づく映像を表示する。
【００１４】
図２は、本発明の第１の実施形態に係る表示システム１における表示装置１０の背面の状態を示す概略図である。図示するように、表示装置１０の背面には、通信入力部１０１と、通信出力部１０２と、操作入力部１０４とがそれぞれ備えられている。そして、表示装置１０ａの通信出力部１０２と表示装置１０ｃの通信入力部１０１、表示装置１０ｃの通信出力部１０２と表示装置１０ｂの通信入力部１０１、および表示装置１０ｂの通信出力部１０２と表示装置１０ｄの通信入力部１０１、はそれぞれ通信線４０によって通信接続されている。
【００１５】
すなわち、４つの表示装置１０は、表示装置１０ａ、表示装置１０ｃ、表示装置１０ｂ、表示装置１０ｄの順で直列に通信接続されている。このように、表示装置１０が通信接続されていることにより、表示装置１０ａ（最上流の表示装置１０）から表示装置１０ｄ（最下流の表示装置１０）へ、順に情報を伝達することができる。
【００１６】
なお、表示装置１０は壁面の近くに設置されており、表示装置１０の背面と壁面とが隣接した状態で設置されているものとする。そのため、ユーザは、マルチディスプレイにおいて最下段に配置された表示装置１０ａまたは表示装置１０ｃの設定変更等を行いたい場合には、表示装置１０ａまたは表示装置１０ｃには脚部が設けられていることにより表示装置１０ａまたは表示装置１０ｃの下方から背面に手を伸ばして操作入力部１０４を操作することによって設定変更（操作入力）を行うことができる。しかしながら、表示装置１０ｂまたは表示装置１０ｄの設定変更などを行いたい場合には、表示装置１０ａまたは表示装置１０ｃの下方から背面に手を伸ばしても表示装置１０ｂまたは表示装置１０ｄの操作入力部１０４までは手が届かないため、設定変更（操作入力）を行うことができない。
【００１７】
そのため、本発明に係る表示システム１は、設定変更等に関する設定情報（制御情報）を上述した通信接続によって上流側の表示装置１０から下流側の表示装置１０へ伝達することにより、全ての表示装置１０の設定変更等の処理を可能にする。
【００１８】
なお、本実施例のように表示装置１０を２行２列に配置したマルチディスプレイだけに限らず、例えば、表示装置１０を１０行１０列に配置したマルチディスプレイに対しても同様に、全ての表示装置１０の設定変更等が可能である。
【００１９】
なお、図２においては記載していないが、マルチディスプレイ用に表示させる映像を示す映像信号を伝達するための映像信号入力部、映像信号出力部がそれぞれの表示装置１０に備えられ、映像信号を伝達する通信線を用いて複数の表示装置１０の間で直列に通信接続されている構成であってもよい。もちろん、それぞれの表示装置１０が映像信号発生装置２０と通信接続し、それぞれの表示装置１０が個別に映像信号を取得するような構成であっても構わない。また、伝達される情報は、映像信号（映像情報）と設定情報（制御情報）とを別々の通信線を用いて伝達するように構成しているが、同じ通信線を用いて伝達するような構成であってもよい。
【００２０】
図３は、本発明の第１の実施形態に係る表示システム１における表示装置１０の識別情報の設定を示す概略図である。
表示装置１０は、壁面に隣接して設置される前に、ユーザにより事前に、それぞれ識別情報の設定がなされる。識別情報の設定は、例えば、表示装置１０に備えられた機能であるＯＳＤ（Ｏｎ−Ｓｃｒｅｅｎ  Ｄｉｓｐｌａｙ；ディスプレイ表示設定）機能などを用いて行われる。
【００２１】
図３は、それぞれの表示装置１０に識別情報の設定がなされ、ＯＳＤによってそれぞれの識別情報が表示された状態を表す。図示するように、図３における表示装置１０ａ、表示装置１０ｂ、表示装置１０ｃ、および表示装置１０ｄには、それぞれ「ＩＤ：１」、「ＩＤ：３」、「ＩＤ：２」、および「ＩＤ：４」と表示されている、ずなわち、図３における表示装置１０ａ、表示装置１０ｂ、表示装置１０ｃ、および表示装置１０ｄには、それぞれ「１」、「３」、「２」、および「４」というＩＤ（Ｉｄｅｎｔｉｆｉｅｒ；識別子）が設定されていることを表す。
【００２２】
図４は、本発明の第１の実施形態に係る表示システム１における操作対象とする表示装置１０の設定を示す概略図である。
図示するように、表示装置１０ａには、「対象モニター：３」、および「個別制御：ＯＮ」と表示されている。この「対象モニター：３」という表示は、表示装置１０ａの操作キーによって設定がなされる対象となるモニターが、「３」というＩＤが割り当てられたモニター（すなわち、表示装置１０ｂ）である状態であることを示す。また、「個別制御：ＯＮ」という表示は、表示装置１０ａの操作キーによって、自らの表示装置１０ａではなく他の表示装置１０の設定を行うことができる機能（個別制御機能）が有効（ＯＮ）になっている状態（第２のモード）であることを示す。
【００２３】
なお、ＯＳＤ機能等を用いてユーザにより操作対象となるモニターが選択されると自動的に個別制御機能がＯＮの状態（第２のモード）に変更されるような構成であってもよいし、または、ユーザにより個別制御機能がＯＮの状態（第２のモード）に変更された際に操作対象のモニターをユーザに選択させるような構成であってもよい。
【００２４】
このように、本発明の第１の実施形態に係る表示システム１によれば、ユーザは、上流側の表示装置１０に備えられた操作入力部１０４（操作キー）を用いて、下流側の表示装置１０の設定変更などの操作を行うことができる。
【００２５】
図５は、本発明の第１の実施形態に係る表示システム１における表示装置１０の機能構成を示すブロック図である。
図示するように、表示装置１０は、通信入力部１０１と、通信出力部１０２と、通信インターフェース１０３と、操作入力部１０４と、表示部１０５と、映像信号入力部１０６ａと、映像信号入力部１０６ｂと、映像信号出力部１０７と、映像用スイッチ１０８と、映像制御部１０９と、出力映像制御部１１０と、制御部１１１と、ＩＤ制御部１１２と、記憶部１１３と、ケーブル検出部１１４と、を含んで構成される。
【００２６】
通信入力部１０１は、接続された他の表示装置１０の後述する通信出力部１０２から、表示装置１０の設定に関する設定情報（制御情報）と設定対象である表示装置１０を識別する識別情報である対象識別情報とを取得する入力端子である。
通信出力部１０２は、接続された他の表示装置１０へ設定情報（制御情報）と対象識別情報とを出力する出力端子である。
通信インターフェース１０３は、通信入力部１０１および通信出力部１０２によって他の表示装置１０との情報の送受信を行う。
【００２７】
操作入力部１０４は、ユーザによる操作入力を受け付ける入力インターフェース（例えば、操作キー）である。操作入力部１０４は、例えば、ユーザによる操作に基づいて表示装置１０の設定に関する設定情報（制御情報）と設定対象である表示装置１０を識別する対象識別情報とが入力される。操作入力部１０４は、操作入力に基づく各種の情報を制御部１１１へ出力する。
表示部１０５は、後述する映像信号入力部１０６ａまたは映像信号入力部１０６ｂから入力される映像信号に基づく映像を表示するディスプレイ、例えば、液晶ディスプレイ（ＬＣＤ；Ｌｉｑｕｉｄ  Ｃｒｙｓｔａｌ  Ｄｉｓｐｌａｙ）または有機ＥＬ（ｅｌｅｃｔｒｏｌｕｍｉｎｅｓｃｅｎｃｅ）ディスプレイである。
【００２８】
映像信号入力部１０６ａおよび映像信号入力部１０６ｂは、それぞれ映像信号発生装置２０ａおよび映像信号発生装置２０ｂから送信された映像信号を、通信線３０を介して取得する。または、映像信号入力部１０６ａおよび映像信号入力部１０６ｂは、他の表示装置１０の後述する映像信号出力部１０７から送信された映像信号を、映像信号を伝達する通信線を介して取得する。
【００２９】
なお、以下の説明において、映像信号入力部１０６ａ、および、映像信号入力部１０６ｂを特定しない場合は、単に映像信号入力部１０６という。
【００３０】
なお、例えば、最上流の表示装置１０の映像信号入力部１０６は、映像信号発生装置２０から送信された映像信号を取得し、下流側の表示装置１０は自らの表示装置１０の１つ上流側の表示装置１０の映像信号出力部１０７から出力された映像信号を取得する。
【００３１】
映像信号出力部１０７は、映像信号入力部１０６によって取得された映像信号を、映像信号を伝達する通信線を介して、他の表示装置１０の映像信号入力部１０６へ出力する。
【００３２】
映像用スイッチ１０８は、映像信号入力部１０６ａまたは１０６ｂから入力された映像信号の１つを、後述する映像制御部１０９へ出力するように切り替える。また、映像用スイッチ１０８は、映像信号入力部１０６ａまたは１０６ｂから入力された映像信号の１つを、映像信号出力部１０７へ出力するように切り替える。なお、映像制御部１０９に出力する映像信号と、映像信号出力部１０７出力する映像信号とは、同じ信号であってもよいし、異なる信号であってもよい。
【００３３】
映像制御部１０９は、映像用スイッチ１０８から入力された映像信号を表示部１０５によって表示可能なデータ形式の映像データに変換し、後述する出力映像制御部１１０へ出力する。
【００３４】
出力映像制御部１１０は、映像制御部１０９から入力された映像データに基づく映像を表示部１０５に表示させる。
【００３５】
制御部１１１は、操作入力部１０４から入力された操作入力に基づく制御情報（制御情報）に基づいて、表示装置１０の各機能ブロックを制御する。制御部１１１は、例えば、ＣＰＵ（Ｃｅｎｔｒａｌ  Ｐｒｏｃｅｓｓｉｎｇ  Ｕｎｉｔ；中央演算処理装置）を含んで構成される。
【００３６】
例えば、制御部１１１は、自らの表示装置１０を識別する識別情報を設定する情報（制御情報）を操作入力部１０４から取得し、後述するＩＤ制御部１１２、および後述する記憶部１１３へ出力する。
【００３７】
また例えば、制御部１１１は、通信インターフェース１０３によって通信入力部１０１を介して取得された対象識別情報または操作入力部１０４によって取得された対象識別情報が、記憶部１１３に記憶された自らの表示装置１０に対応する識別情報と一致する場合には、取得した設定情報（制御情報）に基づいて自らの表示装置１０の設定変更等の処理を実行する。
【００３８】
また例えば、制御部１１１は、通信インターフェース１０３によって通信入力部１０１を介して取得された対象識別情報または操作入力部１０４によって取得された対象識別情報が、記憶部１１３に記憶された自らの表示装置１０に対応する識別情報と異なる場合には、当該対象識別情報および当該設定情報（制御情報）を、通信インターフェース１０３により通信出力部１０２を介して他の表示装置１０へ出力させる。
【００３９】
ＩＤ制御部１１２は、表示装置１０に設定される識別情報（ＩＤ）を制御する。例えば、ＩＤ制御部１１２は、自らの表示装置１０に設定された識別情報と他の表示装置１０に設定された識別情報とが同一である（重複している）場合には、互いに異なる識別情報となるように再設定させるための各種の制御を行う場合もあるし、同一の識別情報（ＩＤ）のまま、表示装置１０が、最上流の表示装置１０から、一斉に制御される場合もある。
【００４０】
記憶部１１３は、自らの表示装置１０に用いられる各種のデータやプログラムを記憶する。記憶部１１３は、例えば、自らの表示装置１０に設定された識別情報（ＩＤ）などを記憶する。記憶部１１３は、例えば、ハードディスクドライブ（ＨＤＤ；Ｈａｒｄ  Ｄｉｓｋ  Ｄｒｉｖｅ）、フラッシュメモリ、イーイーピーロム（ＥＥＰＲＯＭ；Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、またはそれらの任意の組み合わせを含んで構成される。
【００４１】
ケーブル検出部１１４は、入力端子（通信入力部１０１）にケーブル（通信線４０）が接続されているか否かを検出する。制御部１１１は、入力端子にケーブルが接続されていないことを検出したならば、自らの表示装置１０よりも上流の表示装置１０は存在しない、すなわち、自らの表示装置１０が最上流の表示装置１０であることを認識することができる。
【００４２】
以下、表示装置１０の動作について説明する。
図６および図７は、本発明の第１の実施形態に係る表示システム１の表示装置１０の動作の一例を示すフローチャートである。
【００４３】
まず、図６に示すフローチャートについて説明する。なお、図６に示すフローチャートは、最上流の表示装置１０（モニター（１））の動作の一例である。最上流の表示装置１０であるか否かを認識する方法は、上述したように、入力端子にケーブルが接続されていないことに基づいて認識する方法、または、識別情報として「ＩＤ：１」が設定されていることに基づいて認識する方法など、どのような方法でも構わない。
図６に示すフローチャートは、最上流の表示装置１０（モニター（１））において、ユーザにより操作対象のモニターを設定する操作入力がなされた際に開始する。
【００４４】
（ステップｓｔ００１）操作入力部１０４は、ユーザによる操作キーの操作に基づく情報を取得し、取得した情報を制御部１１１に出力する。その後、ステップｓｔ００２へ進む。
【００４５】
（ステップｓｔ００２）制御部１１１は、個別制御機能が「ＯＮ」（有効な状態（第２のモード））であるか否かを検出する。すなわち、制御部１１１は、操作入力部１０４が取得した情報に個別制御機能を「ＯＮ」（第２のモード）にさせる情報が含まれている、または既に個別制御機能が「ＯＮ」の状態（第２のモード）であるか否かを検出する。個別制御機能が「ＯＮ」（第２のモード）である場合には、ステップｓｔ００４へ進む。そうでない場合、すなわち、個別制御機能が「ＯＦＦ」（有効でない状態（第１のモード））である場合は、ステップｓｔ００３へ進む。
【００４６】
（ステップｓｔ００３）制御部１１１は、個別制御機能が「ＯＦＦ」（第１のモード）であることにより、操作入力部１０４が取得した情報に含まれる設定情報（制御情報）に基づいて、自らの表示装置１０の処理を実行する（すなわち、自己のモニター（１）を制御する）。以上で、本フローチャートの処理が終了する。
【００４７】
（ステップｓｔ００４）制御部１１１は、操作入力部１０４が取得した情報が特殊キーを示す情報であるか否かを検出する。操作入力部１０４が取得した情報が特殊キーを示す情報である場合には、ステップｓｔ００５へ進む。そうでない場合には、ステップｓｔ００６へ進む。
【００４８】
なお、特殊キーとは、ユーザが個別制御機能を「ＯＦＦ」（第１のモード）に切り替える場合に入力する操作キーのパターンである。例えば、特殊キーは、通常は使用しない複数のキーの組み合わせなどによって予め決められている。
【００４９】
（ステップｓｔ００５）制御部１１１は、個別制御機能を「ＯＦＦ」の状態（第１のモード）に切り替える。以上で、本フローチャートの処理が終了する。
【００５０】
（ステップｓｔ００６）通信インターフェース１０３は、操作入力部１０４が取得した情報（設定情報（制御情報）および表示装置１０を識別する対象識別情報を含む情報）を、通信出力部１０２を介して他の表示装置１０（自らの表示装置１０の１つ下流側の表示装置１０）へ出力する。以上で、本フローチャートの処理が終了する。
【００５１】
次に、図７に示すフローチャートについて説明する。なお、図７に示すフローチャートは、最上流の表示装置１０（モニター（１））以外の表示装置、すなわち、下流側の表示装置１０の動作の一例である。
図７に示すフローチャートは、表示装置１０の通信入力部１０１が、設定情報（制御情報）と対象識別情報とを含む情報を取得した際に開始する。
【００５２】
（ステップｓｔ０１１）通信入力部１０１は、他の表示装置１０から出力された、設定情報（制御情報）と対象識別情報とを含む情報を、通信線４０を介して取得し、取得した情報を制御部１１１に出力する。その後、ステップｓｔ０１２へ進む。
【００５３】
（ステップｓｔ０１２）制御部１１１は、通信入力部１０１が取得した情報に含まれる対象識別情報（ＩＤ）が、記憶部１１３に記憶された自らの表示装置１０を織別する識別情報（ＩＤ）と同一であるか否かを検出する。同一である場合には、ステップｓｔ０１３へ進む。そうでない場合は、ステップｓｔ０１４へ進む。
【００５４】
（ステップｓｔ０１３）制御部１１１は、通信入力部１０１が取得した情報に含まれる設定情報（制御情報）に基づいて、自らの表示装置１０の処理を実行する（すなわち、自己のモニターを制御する）。その後、ステップｓｔ０１４へ進む。なお、取得した情報が自己のモニターのみを制御する情報であることが分かっている場合、制御部１１１は、ステップｓｔ０１４へ進まず、本フローチャートの処理を終了するようにしてもよい。
【００５５】
（ステップｓｔ０１４）通信インターフェース１０３は、操作入力部１０４が取得した情報（設定情報（制御情報）および表示装置１０を識別する対象識別情報を含む情報）を、通信出力部１０２を介して他の表示装置１０（自らの表示装置１０の１つ下流側の表示装置１０）へ出力する。以上で、本フローチャートの処理が終了する。
【００５６】
＜第２の実施形態＞
次に、本発明の第２の実施形態について説明する。図８は、本発明の第２の実施形態に係る表示システム２の概要を示す概略図である。
第２の実施形態に係る表示システム２では、ユーザは、リモートコントローラ（以下、リモコン６０という）によって、表示装置１０における設定変更等を実行することができる。
【００５７】
なお、もしそれぞれの表示装置１０の前面にリモコン受光部が備えられているならば、リモコンを用いてそれぞれの表示装置１０における設定変更等を実行するように構成することが可能である。しかしながら、例えば、ベゼル幅の狭いモニターのように、リモコン受光部を表示装置１０の前面に設けることができない場合がある。その場合、リモコン受光部の設置位置によっては、マルチディスプレイにおいて、リモコンから送信された光を受光することができない表示装置１０が生じうる。
【００５８】
そこで、図８に示す表示システム２では、最上流の表示装置である表示装置１０ａにのみリモコン受光部５０を取り付けている。これにより、最上流の表示装置である表示装置１０ａの背面の操作入力部１０４を操作することによって下流側の表示装置１０における設定変更等を実行することができる第１の実施形態と同様に、第２の実施形態に係る表示システム２は、リモコン６０を操作することによって最上流の表示装置である表示装置１０ａに取り付けられたリモコン受光部５０を介して下流側の表示装置１０における設定変更等を実行することができる。すなわち、リモコン６０およびリモコン受光部５０は、操作入力部１０４の一例である。
【００５９】
なお、第２の実施形態に係る表示システム２のようにリモコン６０が用いられる場合には、下流側の全ての表示装置１０のリモコン受光部（図示せず）は無効となるように設定されることが望ましい。
【００６０】
＜第３の実施形態＞
次に、本発明の第３の実施形態について説明する。図９は、本発明の第３の実施形態に係る表示システム３の概要を示す概略図である。
【００６１】
図示するように、第３の実施形態に係る表示システム３においては、制御部１１１は、表示システム３を構成する複数の表示装置１０（図９においては、１０ａ、１０ｂ、１０ｃ、および１０ｄ）を示す画像を、ＯＳＤを用いて特定の表示装置１０の表示部１０５に表示させ、当該複数の表示装置１０の配置状態を表す画像をユーザに対して提示する。そして、制御部１１１は、ユーザからの操作入力に基づき、特定の表示装置１０の表示部１０５に表示された複数の表示装置１０のうち所定の１つの表示装置１０が選択されることにより、選択された表示装置１０に対応する識別情報を対象識別情報として設定する。
【００６２】
図９は、表示システム３を構成する複数の表示装置１０（１０ａ、１０ｂ、１０ｃ、および１０ｄ）のうち、向かって左上側に配置された表示装置１０であって「ＩＤ：３」の識別情報が対応付けられた表示装置１０である表示装置１０ｂが選択された状態を表した図である。
【００６３】
このように、第３の実施形態に係る表示システム３は、表示システム３を構成する複数の表示装置１０（図９においては、１０ａ、１０ｂ、１０ｃ、および１０ｄ）を示す画像を、ＯＳＤを用いて特定の表示装置１０の表示部１０５に視覚的に表示するため、ユーザは、設定変更等の制御の対象としたい表示装置１０をより容易に選択することができる。
【００６４】
第３の実施形態に係る表示システム３によれば、多数の表示装置１０によって構成されるマルチディスプレイである場合であっても、ユーザは、多数の表示装置１０の表示部１０５をそれぞれ確認することはせずに特定の表示装置１０の表示部１０５のみを確認するだけでよいため、設定変更等の制御の対象としたい表示装置１０をより容易に選択することができる。
【００６５】
図１０は、本発明の第１乃至第３の実施形態に係る表示システムの表示装置１０の基本構成を示すブロック図である。
図示するように、表示装置１０は、通信可能に接続された複数の表示装置１０を有する表示システムを構成する表示装置であって、映像を表示する表示部１０５と、ユーザによる操作を受け付ける操作入力部１０４と、前記操作に対応する制御情報を実行する表示装置１０を指定する対象識別情報が自らの表示装置１０に対応付けられた識別情報と同じである場合、前記制御情報に基づいて処理を実行する制御部１１１と、前記対象識別情報が自らの表示装置１０に対応付けられた識別情報と異なる場合、接続された他の表示装置１０へ前記制御情報と前記対象識別情報とを出力する通信出力部１０２と、を備える。
【００６６】
以上、説明したように、本発明の第１の実施形態に係る表示システム１、第２の実施形態に係る表示システム２、および第３の実施形態に係る表示システム３では、表示装置１０における設定変更等の処理を実行させるための設定情報（制御情報）を、最上流の表示装置１０から直列に通信接続された下流側の表示装置１０へ順に伝達していけばよいため、ユーザは、下流側の表示装置１０における設定変更等を、より容易に行うことができる。
【００６７】
本発明の第１の実施形態に係る表示システム１、第２の実施形態に係る表示システム２、および第３の実施形態に係る表示システム３では、個別制御機能が有効な状態にされた最上流の表示装置１０は、操作入力部１０４やリモコン６０による操作に基づく設定情報（制御情報）に操作対象とする表示装置１０を識別する識別情報を付加して、下流側の表示装置１０へ伝達する。操作対象である表示装置１０は、当該設定情報（制御情報）に基づく設定を実行する。
【００６８】
すなわち、個別制御機能が有効な状態にされた最上流の表示装置１０は、操作対象とする表示装置１０に対応する識別情報を付加して設定情報（制御情報）を送信するため、本発明によれば、設定情報（制御情報）の送信先とする表示装置１０がどの表示装置１０であるかを判定するための判定処理が不要になる。
また、本発明によれば、最上流の表示装置１０は、操作対象とする表示装置１０の設定前の時点での設定情報（制御情報）を事前に取得する必要もないため、下流側の表示装置１０における設定変更等の処理を、より容易に実行することができる。
【００６９】
なお、上述した実施形態においては、上流側の表示装置１０から下流側の表示装置１０へのみ情報が伝達される単方向通信であるものとしたが、これに限られない。下流側の表示装置１０から上流側の表示装置１０へのフィードバックが可能な双方向通信である場合には、例えば、ユーザは、最下流の表示装置１０の操作キーを操作することによって、当該表示装置１０が最下流ではなく最上流の表示装置１０となるように設定を変更することが可能になる。
【００７０】
また、下流側の表示装置１０から上流側の表示装置１０へのフィードバックが可能な双方向通信である場合、上流側の表示装置１０は下流側の表示装置１０から、エラー情報などの情報を取得することによって、エラー処理をより確実に行うようにすることもできる。
【００７１】
例えば、最上流の表示装置１０の個別制御機能がＯＮの状態（第２のモード）であるときに、ユーザが最下流の表示装置１０の操作キーを操作して最下流の表示装置１０の個別制御機能をＯＮの状態（第２のモード）に変更すると、最上流の表示装置１０の個別制御機能をＯＦＦにさせる（第１のモードにする）ための制御情報が、最下流の表示装置１０から最上流の表示装置１０へ順に伝達されるようにしてもよい。これにより、最下流であった表示装置１０が最上流の表示装置１０であるように変更することが可能になる。
【００７２】
また、最上流でもなく最下流でもない中間に位置する表示装置１０の操作キーが操作された場合であっても、双方向通信である場合には、全ての表示装置１０へ情報伝達が可能であるため、上記のような最上流の表示装置１０を変更するような処理も可能である。
【００７３】
なお、表示システム１、表示システム２、表示システム３、または表示装置１０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７４】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００７５】
１  表示システム
２  表示システム
３  表示システム
１０  表示装置
２０  映像信号発生装置
３０  通信線
４０  通信線
５０  リモコン受光部
６０  リモコン
１０１  通信入力部
１０２  通信出力部
１０５  表示部
１１１  制御部
【図１】
2018042514.tif 000003
【図２】
2018042514.tif 000004
【図３】
2018042514.tif 000005
【図４】
2018042514.tif 000006
【図５】
2018042514.tif 000007
【図６】
2018042514.tif 000008
【図７】
2018042514.tif 000009
【図８】
2018042514.tif 000010
【図９】
2018042514.tif 000011
【図１０】
2018042514.tif 000012
【国際調査報告】
2018042514.tif 000013
2018042514.tif 000014
2018042514.tif 000015